【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
携帯型情報端末とサーバとが通信可能に構成される仮設資機材の管理システムであって、
前記携帯型情報端末は、
仮設資機材に付帯された個体識別情報を前記サーバに送信する端末側送信手段を備え、
前記サーバは、
前記端末側送信手段により送信された個体識別情報を受信するサーバ側受信手段と、
前記サーバ側受信手段により受信した個体識別情報に基づいて仮設資機材を種類ごとに管理するように制御するサーバ側制御手段と、を備えることを特徴とする仮設資機材の管理システム。
【請求項２】
前記サーバ側制御手段は、前記サーバ側受信手段により受信した個体識別情報に基づいて仮設資機材の種類ごとに数を集計するように制御することを特徴とする請求項１に記載の仮設資機材の管理システム。
【請求項３】
前記サーバは、
前記サーバ側制御手段により集計された集計情報を送信するサーバ側送信手段を備え、
前記携帯型情報端末は、
前記サーバ側送信手段により送信された集計情報を受信する端末側受信手段と、
前記端末側受信手段により受信した集計情報を表示する表示手段と、を備えることを特徴とする請求項２に記載の仮設資機材の管理システム。
【請求項４】
前記端末側送信手段は、前記個体識別情報が付帯された仮設資機材が存在する位置情報を前記サーバに送信し、
前記サーバ側受信手段は、前記端末側送信手段により送信された位置情報を受信し、
前記サーバ側制御手段は、前記サーバ側受信手段により受信した位置情報に基づいて、仮設資機材が存在する位置ごとに集計するように制御することを特徴とする請求項２または３に記載の仮設資機材の管理システム。
【請求項５】
前記携帯型情報端末は、
前記仮設資機材が存在する位置情報としての緯度経度の情報を取得する取得手段を備え、
前記サーバ側制御手段は、前記サーバ側受信手段により受信した緯度経度の情報から棟を特定し、特定した棟ごとに集計するように制御することを特徴とする請求項４に記載の仮設資機材の管理システム。
【請求項６】
前記携帯型情報端末は、
前記仮設資機材が存在する位置情報としての高度情報を取得する取得手段を備え、
前記サーバ側制御手段は、前記サーバ側受信手段により受信した高度情報からフロアを特定し、特定したフロアごとに集計するように制御することを特徴とする請求項４または５に記載の仮設資機材の管理システム。
【請求項７】
前記サーバ側制御手段は、個体識別情報に関連付けられたレンタル会社ごとに仮設資機材の数を集計するように制御することを特徴とする請求項２ないし６の何れか１項に記載の仮設資機材の管理システム。
【請求項８】
サーバと、前記サーバで管理されている情報を取得して表示する外部装置とが通信可能に構成される仮設資機材の管理システムであって、
前記サーバは、
所定の作業現場で使用される仮設資機材の個体識別情報と、前記所定の作業現場に仮設資機材を納品する複数のレンタル会社のうち、前記所定の作業現場で使用される仮設資機材を所有するレンタル会社の情報と、を関連付けて管理するように制御するサーバ側制御手段を有することを特徴とする仮設資機材の管理システム。
【請求項９】
前記サーバ側制御手段は、前記所定の作業現場に仮設資機材を納品する複数のレンタル会社ごとに、前記所定の作業現場で使用される仮設資機材の数を集計するように制御することを特徴とする請求項８に記載の仮設資機材の管理システム。
【請求項１０】
携帯型情報端末とサーバとが通信可能に構成される仮設資機材の管理システムであって、
前記携帯型情報端末は、
仮設資機材に付帯された個体識別情報を取得するために撮影する撮影手段と、
当該個体識別情報が付帯された仮設資機材を使用する業者を変更する場合に、前記撮影
手段により撮影することで取得された個体識別情報と、変更する業者の情報とを前記サーバに送信する端末側送信手段と、を備え、
前記サーバは、
個体識別情報と、当該個体識別情報が付帯された仮設資機材を使用する業者の情報とを関連付けた情報を記録する記録手段と、
前記端末側送信手段により送信された個体識別情報と、前記変更する業者の情報とを受信するサーバ側受信手段と、
前記記録手段により記録された情報のうち、前記サーバ側受信手段により受信した個体識別情報に関連付けられた業者の情報を、前記サーバ側受信手段により受信した業者の情報に変更するように制御するサーバ側制御手段と、を備えることを特徴とする仮設資機材の管理システム。
【請求項１１】
前記仮設資機材の管理システムは、前記サーバと通信可能な情報処理装置を備え、
前記サーバは、
前記記録手段により記録された仮設資機材を使用する業者の情報を前記情報処理装置に送信するサーバ側送信手段を備え、
前記情報処理装置は、
前記サーバ側送信手段により送信された業者の情報を受信する受信手段を有することを特徴とする請求項１０に記載の仮設資機材の管理システム。
【請求項１２】
携帯型情報端末とサーバとが通信可能に構成される仮設資機材の管理システムであって、
前記携帯型情報端末は、
仮設資機材に付帯された個体識別情報を取得するために撮影する撮影手段と、
前記撮影手段により撮影することで取得された個体識別情報を前記サーバに送信する端末側送信手段と、を備え、
前記サーバは、
個体識別情報と、当該個体識別情報が付帯された仮設資機材を使用する業者の情報とを関連付けた情報を記録する記録手段と、
前記端末側送信手段により送信された個体識別情報を受信するサーバ側受信手段と、
前記記録手段により記録された情報のうち、前記サーバ側受信手段により受信した個体識別情報に関連付けられた業者の情報に基づいて、業者ラベルの印刷情報を作成するように制御するサーバ側制御手段と、を備えることを特徴とする仮設資機材の管理システム。
【請求項１３】
前記仮設資機材の管理システムは、前記携帯型情報端末からの指示に応じて印刷する印刷装置を備え、
前記サーバは、
前記サーバ側制御手段により作成された印刷情報を前記携帯型情報端末に送信するサーバ側送信手段を備え、
前記携帯型情報端末は、
前記サーバ側送信手段により送信された印刷情報を受信する端末側受信手段を備え、
前記端末側送信手段は、前記端末側受信手段により受信した印刷情報を前記印刷装置に送信することを特徴とする請求項１２に記載の仮設資機材の管理システム。
【請求項１４】
携帯型情報端末とサーバとが通信可能に構成される仮設資機材の管理システムであって、
前記携帯型情報端末は、
仮設資機材の種類ごとに関連付けられた点検項目を表示する表示手段と、
前記点検項目に対して入力された入力情報および点検の対象の仮設資機材の個体識別情報を前記サーバに送信する端末側送信手段と、を備え、
前記サーバは、
前記端末側送信手段により送信された入力情報および個体識別情報を受信するサーバ側受信手段と、
前記サーバ側受信手段により受信した入力情報と個体識別情報とを関連付けた点検履歴情報を記録するように制御するサーバ側制御手段と、を備えることを特徴とする仮設資機材の管理システム。
【請求項１５】
前記表示手段は、
仮設資機材の種類ごと、および、点検種類ごとに関連付けられた点検項目を表示することを特徴とする請求項１４に記載の仮設資機材の管理システム。
【請求項１６】
前記サーバ側制御手段は、
前記携帯型情報端末から受信した個体識別情報に基づいて仮設資機材の種類を特定し、特定した仮設資機材の種類から点検項目の情報を取得し、
前記サーバは、
前記取得した点検項目の情報を前記携帯型情報端末に送信するサーバ側送信手段を備えることを特徴とする請求項１４または１５に記載の仮設資機材の管理システム。
【手続補正２】
【補正対象書類名】明細書
【補正対象項目名】０００６
【補正方法】変更
【補正の内容】
【０００６】
本発明の仮設資機材の管理システムは、携帯型情報端末とサーバとが通信可能に構成される仮設資機材の管理システムであって、前記携帯型情報端末は、仮設資機材に付帯された個体識別情報を前記サーバに送信する端末側送信手段を備え、前記サーバは、前記端末側送信手段により送信された個体識別情報を受信するサーバ側受信手段と、前記サーバ側受信手段により受信した個体識別情報に基づいて仮設資機材を種類ごとに管理するように制御するサーバ側制御手段と、を備えることを特徴とする。
また、本発明の仮設資機材の管理システムは、サーバと、前記サーバで管理されている情報を取得して表示する外部装置とが通信可能に構成される仮設資機材の管理システムであって、前記サーバは、所定の作業現場で使用される仮設資機材の個体識別情報と、前記所定の作業現場に仮設資機材を納品する複数のレンタル会社のうち、前記所定の作業現場で使用される仮設資機材を所有するレンタル会社の情報と、を関連付けて管理するように制御するサーバ側制御手段を有することを特徴とする。
また、本発明の仮設資機材の管理システムは、携帯型情報端末とサーバとが通信可能に構成される仮設資機材の管理システムであって、前記携帯型情報端末は、仮設資機材に付帯された個体識別情報を取得するために撮影する撮影手段と、当該個体識別情報が付帯された仮設資機材を使用する業者を変更する場合に、前記撮影手段により撮影することで取得された個体識別情報と、変更する業者の情報とを前記サーバに送信する端末側送信手段と、を備え、前記サーバは、個体識別情報と、当該個体識別情報が付帯された仮設資機材を使用する業者の情報とを関連付けた情報を記録する記録手段と、前記端末側送信手段により送信された個体識別情報と、前記変更する業者の情報とを受信するサーバ側受信手段と、前記記録手段により記録された情報のうち、前記サーバ側受信手段により受信した個体識別情報に関連付けられた業者の情報を、前記サーバ側受信手段により受信した業者の情報に変更するように制御するサーバ側制御手段と、を備えることを特徴とする。
また、本発明の仮設資機材の管理システムは、携帯型情報端末とサーバとが通信可能に構成される仮設資機材の管理システムであって、前記携帯型情報端末は、仮設資機材に付帯された個体識別情報を取得するために撮影する撮影手段と、前記撮影手段により撮影することで取得された個体識別情報を前記サーバに送信する端末側送信手段と、を備え、前記サーバは、個体識別情報と、当該個体識別情報が付帯された仮設資機材を使用する業者の情報とを関連付けた情報を記録する記録手段と、前記端末側送信手段により送信された個体識別情報を受信するサーバ側受信手段と、前記記録手段により記録された情報のうち、前記サーバ側受信手段により受信した個体識別情報に関連付けられた業者の情報に基づいて、業者ラベルの印刷情報を作成するように制御するサーバ側制御手段と、を備えることを特徴とする。